(57)【要約】      （修正有）【課題】旋回する態様で基部に取付けられ、かつ、装着位置と折り畳み位置との間で移動可能なハイバックを含むスノーボードのビンディングを提供する。【解決手段】折り畳み位置において、踵のフープ７の最上部よりも低いところにハイバック５を位置付けることができる。一実施例では、ハイバック５が折り畳み位置にあるときに、ビンディング１のすべての部分を３インチ以下の最大距離内に位置付けることができる。【選択図】図１
0003108353.tif 000002
【実用新案登録請求の範囲】
【請求項１】
スノーボードのビンディングであって、
スノーボードに取付けられるように、かつ、装着者の足の底部の少なくとも一部を支持するように構成および配置された基部を備え、前記基部は、スノーボードに取付けられたときにスノーボードの上面に隣接する底面を有し、前記スノーボードのビンディングはさらに、
装着者の足全体に延びるように、かつ、装着者の足を前記基部に固定するように構成および配置された少なくとも１つの係合部材と、
前記基部から延び、かつ、装着者の足が前記ビンディングに位置付けられたときに装着者の踵の周囲を延びるように構成および配置された踵のフープとを備え、前記踵のフープは最上部および最後部を有し、前記スノーボードのビンディングはさらに、
装着者の脚の後部を支持するように構成および配置された、ハイバックを含む後部支持部材を備え、
前記後部支持部材は、前記後部支持部材が装着者の脚の後部を支持するように配置される装着位置と、前記基部の底面からの前記踵のフープの最上部の高さよりも小さな、前記基部の底面からの高さに、前記後部支持部材のすべての部分が位置付けられる折り畳み位置との間で移動可能であることを特徴とする、スノーボードのビンディング。
【請求項２】
スノーボードのビンディングであって、
スノーボードに取付けられるように、かつ、装着者の足の少なくとも一部を支持するように構成および配置された基部を備え、前記基部は、スノーボードに取付けられたときにスノーボードの上面に隣接する底面を有し、前記スノーボードのビンディングはさらに、
前記基部の対向する側面上において踵から爪先の方向に延びる１対の側壁と、
装着者の足全体に延びるように、かつ、装着者の足を前記基部に固定するように構成および配置された少なくとも１つの係合部材と、
前記基部から延び、かつ、ブーツが前記ビンディングに位置付けられたときに装着者のブーツの踵の周囲を延びるように構成および配置された踵のフープとを備え、前記踵のフープは最後部を有し、前記スノーボードのビンディングはさらに、
装着者の脚の後部を支持するように構成および配置されたハイバックを備え、前記ハイバックは、旋回する態様でビンディングに接続され、前記ハイバックは、前記ハイバックが装着者の脚の後部を支持するように配置される装着位置と、前記ハイバックが前記基部の爪先側に向けて折り畳まれる折り畳み位置との間で移動可能であり、
踵のフープおよびハイバックのすべての部分は、前記ハイバックが折り畳み位置にあるときに、前記基部の底面から３インチ以下の距離内に位置付けられる、スノーボードのビンディング。
【請求項３】
前記踵のフープおよび前記後部支持部材のすべての部分は、前記後部支持部材が折り畳み位置にあるときに、前記基部の前記底面から好ましくは３インチ以下の距離内に、より好ましくは、前記後部支持部材が折り畳まれた位置にあるときに、前記基部の底面から２．５インチ以下の高さ内に位置付けられる、請求項１または請求項２のいずれかに記載のビンディング。
【請求項４】
前記ハイバックは、前記基部の底面から０．７５インチ以下の、かつ、前記踵のフープの最後部から２．２５インチ以下の位置において、旋回する態様で前記基部に取付けられる、請求項１から請求項３のいずれかに記載のビンディング。
【請求項５】
スノーボードのビンディングであって、
スノーボードに取付けられるように、かつ、装着者の足の底部の少なくとも一部を支持するように構成および配置された基部を備え、前記基部は、スノーボードに取付けられた
ときにスノーボードの上面に隣接する底面を有し、前記スノーボードのビンディングはさらに、
装着者の足全体に延びるように、かつ、装着者の足を前記基部に固定するように構成および配置された少なくとも１つの係合部材と、
前記基部から延び、かつ、ブーツが前記ビンディングに位置付けられたときに装着者のブーツの踵の周囲を延びるように構成および配置された踵のフープとを備え、前記踵のフープは最後部を有し、前記スノーボードのビンディングはさらに、
装着者の脚の後部を支持するように構成および配置されたハイバックを備え、前記ハイバックは、前記基部の底面の上方に０．７５インチ以下の高さを有し、かつ、前記踵のフープの最後部から前方に２．２５インチ以下の旋回位置において、旋回する態様で前記基部に接続される、スノーボードのビンディング。
【請求項６】
前記基部に対する前記ハイバックの回転位置を調節するように構成および配置された傾き調節装置をさらに備える、請求項１から請求項５のいずれかに記載のビンディング。
【請求項７】
前記傾き調節装置は、前記踵のフープに取付けられ、スノーボードの上面に対して平行な方向に移動して前記ハイバックの回転位置を調節する移動可能な部分を有する、請求項６に記載のビンディング。
【請求項８】
前記傾き調節装置は、前記ハイバックと前記踵のフープの内側表面との間に位置付けられた部分を含む、請求項６に記載のビンディング。
【請求項９】
前記基部は踵側に対向する爪先側を有し、前記ハイバックは、前記基部の前記爪先側に向かう方向に、前記装着位置から前記折り畳み位置まで移動可能である、請求項１から請求項８のいずれかに記載のビンディング。
【請求項１０】
係合部材は可変長さのストラップである、請求項１から請求項９のいずれかに記載のビンディング。
【請求項１１】
前記基部の対向する面上にあって、踵から爪先の方向に延びる側壁をさらに備える、請求項１から請求項１０のいずれかに記載のビンディング。
【請求項１２】
前記側壁の少なくとも１つは、前記折り畳み位置にあるときに前記ハイバックの少なくとも一部を受けるための凹部を含む、請求項１１に記載のビンディング。
【請求項１３】
基部の端部において旋回する態様で前記基部に結合され、かつ、ハイバックの端部において旋回する態様で前記ハイバックに結合された第１のリンクをさらに備え、前記ハイバックは前記第１のリンクに対して回転可能である、請求項１から請求項１２のいずれかに記載のビンディング。
【請求項１４】
前記第１のリンクは旋回する態様で接続された２つの部分を含み、第１の部分は旋回する態様で前記基部に結合され、第２の部分は旋回する態様で前記ハイバックに結合される、請求項１３に記載のビンディング。
【請求項１５】
少なくとも１つの係合部材が一方端において前記第１のリンクに結合される、請求項１４に記載のビンディング。
【請求項１６】
基部の端部において旋回する態様で前記基部に結合され、かつ、ハイバックの端部において旋回する態様で前記ハイバックに結合された第２のリンクをさらに備え、前記第１および第２のリンクは前記基部の同一側面上に位置付けられ、前記第１のリンクは、前記第
２のリンクよりも前記基部の爪先側付近に位置付けられる、請求項１３に記載のビンディング。
【考案の詳細な説明】
【技術分野】
【０００１】
考案の背景
１．考案の分野
この考案は、垂直方向のプロファイルが縮小されたスノーボードのビンディングに関する。
【背景技術】
【０００２】
２．関連技術の説明
スノーボードのビンディングは、実質的にすべてがストラップモデルであって、そのうちのあるものはステップイン式バージョンであり、装着者のブーツおよび／または脚の後部を支持するハイバックを含む。当業者によく理解されているように、ハイバックによって、装着者は踵側のエッジ上でスノーボードをより迅速かつ効果的に傾斜させることができる。このようなハイバックは、旋回する態様でビンディングに取付けられていることが多く、それによってハイバックは、回転または前方への折り畳みが可能になる。ハイバックを前方に折り畳むことにより、たとえばスノーボードと取付けられたビンディングとを保管する際に、および車両のルーフラック上でスノーボードおよびビンディングを運ぶ際に、ビンディングの全体高さを減じることができる。一般に、スノーボードのレンタル店は、次の使用までスノーボードを保管する際に、ハイバックをビンディング上で折り畳む。ハイバックを有さないステップイン式ビンディングを有するスノーボードは、通常、ハイバックを有するストラップビンディングを有するスノーボードとは別個に棚に保管される。これらのボードが別個に保管される理由は、ステップイン式ビンディングを有するボードの全体高さ（ボードの底部からボードの上面の上方における、ビンディング上の最高地点までの距離）が通常約３インチであるのに対し、ストラップビンディングを有するボードの全体高さが約４インチ以上であるためである。その結果、踵のフープまたはハイバックを有さないステップイン式ビンディングを有するボード用の棚は、各ボードに対して約３インチの全体高さを収容するように作製され、ストラップビンディングおよびハイバックを有するボード用の棚は、各ボードに対して約４インチの全体高さを収容するように作製される。ステップイン式ビンディングの人気の低下は、ステップイン式ビンディングを借りる装着者の数が減ることを意味し、したがってレンタル店が、ステップイン式ビンディングを有する未使用のボードの棚を多数有していることを意味する。
【０００３】
図１５は、スノーボード１００の上面１０１に取付けられた先行技術のストラップビンディング１を示す（明瞭にするために、ビンディング上にストラップは図示されていない）。ビンディング１は、側壁３を有する基部２と、基部２の中央部付近の旋回点６において取付けられたハイバック５とを有する。旋回点６は、スノーボード１００の上面１０１の約０．７５インチ上方に、かつ、踵のフープ７の最後部から約４インチ前方に位置する。（ここで用いられているように、ビンディング１の後部または踵の端部は図１５において右に向いており、ビンディング１の前部または爪先の端部は図１５において左に向いており、ビンディング１の底部はビンディング１とスノーボード１００との界面に向いており、ビンディング１の上部は底部と反対側にあってかつスノーボード１００から離れている。）ハイバック５の相対的に長いアーム５ａが、旋回点６から踵のフープ７に向けて延びる。ハイバック５の後部上に傾き調節装置１０が担持されて、旋回点６の周囲におけるハイバックの回転位置を調節する。
【０００４】
図１６は、スノーボード１００の上面１０１に取付けられた別の先行技術のストラップビンディング１を示す。ビンディング１は、図１５のビンディングと同様に、基部２と、側壁３と、旋回点６に取付けられたハイバック５とを含む。しかしながら、図１６のビン
ディングは、踵のフープ７上の相対的に高いところで、上面１０１から約２．７５インチ上の、かつ、踵のフープ７の最後部から約２インチ前方の地点に位置付けられた旋回点６を有する。また、旋回点６は、図１５のビンディングと同様に、基部２の床面２２の最後部の前方に位置付けられる。傾き調節装置１０がハイバック５によって担持され、旋回点６の周囲におけるハイバック５の回転位置を調節するために用いられる。
【０００５】
図１７および図１８は、ハイバックが折り畳み位置にある図１５および図１６のビンディングをそれぞれ示す。両方のビンディングにおいて、ハイバックはビンディングの踵のフープおよび他の部分の上方に位置付けられる。具体的に、ビンディングは高さｈを有し、すなわち、スノーボード１００の上面１０１と界面で連結するビンディング１の底面２１からビンディング１の最上部、この場合はハイバック５および／またはハイバック５が担持する傾き調節装置１０まで測定された垂直距離を有する。この高さｈはビンディングの種類が異なるのに伴い変化するが、ストラップビンディングの場合、一般に約３．５インチ以上である。ビンディングが取付けられるスノーボードが約０．５インチの厚さを有することが一般に想定され得るため、ストラップビンディングに関し、スノーボード１００の底面１０２からビンディングの最上部まで測定された全体高さｏｈは、一般に約４インチ以上である。
【考案の開示】
【課題を解決するための手段】
【０００６】
考案の概要
本考案者は、先行技術のストラップビンディングの積み重ね高さが、通常、ハイバックの寸法および取付け位置によって制約を受けることを認識してきた。本考案者は、装着中におけるハイバックの所望の性能特性を引き続き維持したまま、折り畳んだときにハイバックの高さを下げるためのハイバックの構造および取付け機構を開発した。加えて、本考案者は、ビンディングに対するより小さな全体高さだけでなく、ビンディング上の踵のフープに対し、折り畳んだときにより低いハイバックの位置を可能にする構造および配置も開発した。
【０００７】
この考案の一局面において、スノーボードのビンディングは、スノーボードに取付けられるように、かつ、装着者の足の少なくとも一部を支持するように構成および配置された基部を含む。この基部は、スノーボードに取付けられたときにスノーボードの上面に隣接する底面を有する。少なくとも１つの係合部材が、装着者の足全体に延びるように、かつ、装着者の足を基部に固定するように構成および配置され、基部から延びる踵のフープは、装着者の足がビンディングに位置付けられたときに装着者の踵の周囲を延びるように構成および配置される。踵のフープは最上部および最後部を有する。ハイバックを含む後部支持部材が、装着者の脚の後部を支持するように構成および配置される。この後部支持部材は、後部支持部材が装着者の脚の後部を支持するように配置される装着位置と、基部の底面からの踵のフープの最上部の高さよりも小さな、基部の底面からの高さに、後部支持部材のすべての部分が位置付けられる折り畳み位置との間で移動可能である。
【０００８】
この考案の一局面において、スノーボードのビンディングは、スノーボードに取付けられるように、かつ、装着者の足の少なくとも一部を支持するように構成および配置された基部を含む。この基部は、スノーボードに取付けられたときにスノーボードの上面に隣接する底面を有する。基部の対向する側面上において踵から爪先の方向に１対の側壁が延び、少なくとも１つの係合部材が、装着者の足全体に延びるように、かつ、装着者の足を基部に固定するように構成および配置される。踵のフープは基部から延び、ブーツがビンディングに位置付けられたときに装着者のブーツの踵の周囲を延びるように構成および配置される。踵のフープは最後部を有する。ハイバックが、装着者の脚の後部を支持するように構成および配置され、旋回する態様で基部に接続される。ハイバックは、後部支持部材
が装着者の脚の後部を支持するように配置される装着位置と、ハイバックが基部の爪先側に向けて折り畳まれる折り畳み位置との間で移動可能である。踵のフープおよびハイバックのすべての部分は、ハイバックが折り畳み位置にあるときに、基部の底面から３インチ以下の距離内に位置付けられる。一実施例において、踵のフープおよびハイバックのすべての部分は、ハイバックが折り畳み位置にあるときに、基部の底面から２．７５インチ以下の距離内、またはより好ましくは、基部の底面から２．５インチ以下の距離内に位置付けられる。
【０００９】
この考案の一局面において、スノーボードのビンディングは、スノーボードに取付けられるように、かつ、装着者の足の少なくとも一部を支持するように構成および配置された基部を含む。この基部は、スノーボードに取付けられたときにスノーボードの上面に隣接する底面を有する。少なくとも１つの係合部材が、装着者の足を基部に固定するように構成および配置される。踵のフープは基部に取付けられ、ブーツがビンディングに位置付けられたときに装着者のブーツの踵の周囲を延びるように構成および配置される。踵のフープは最後部を有し、ハイバックは、装着者の脚の後部を支持するように構成および配置される。ハイバックは、基部の底面の上方に０．７５インチ以下の高さを有し、かつ、踵のフープの最後部から前方に２．２５インチ以下の旋回位置において、旋回する態様で基部に接続される。
【００１０】
この考案の一局面において、スノーボードのビンディングは、スノーボードに取付けられるように、かつ、装着者の足の少なくとも一部を支持するように構成および配置された基部を含む。この基部は、スノーボードに取付けられたときにスノーボードの上面に隣接する底面を有する。少なくとも１つの係合部材が、装着者の足全体に延びるように、かつ、装着者の足を基部に固定するように構成および配置される。ハイバックを含む後部支持部材は、装着者の脚の後部を支持するように構成および配置される。後部支持部材は、後部支持部材が装着者の脚の後部を支持するように配置される装着位置と、折り畳み位置との間で移動可能である。ハイバックは、基部の底面から０．７５インチ以下の、かつ、基部の床面の最後部の後方の位置で、旋回する態様で基部に取付けられる。
【００１１】
この考案のこれらのおよび他の局面は、以下の詳細な説明および前掲の実用新案登録請求の範囲から明らかにおよび／または明白になるであろう。
【００１２】
この考案の局面を、以下の例示的な図面と関連付けて説明する。これらの図面において、同じ参照番号は同じ要素を指す。
【考案を実施するための最良の形態】
【００１３】
詳細な説明
この考案は、以下の説明に明示されるか、または図面に例示される構成要素の構造および配置の詳細に、その用途が限定されない。この考案は、他の実施例が可能であり、さまざまな方法で実施または実行が可能である。また、この明細書で用いられる文体および用語は説明のためのものであり、限定と考えられるべきではない。この明細書における、「含む」、「備える」、「有する」、「包含する」、「伴う」の使用およびそれらの変形例は、追加項目だけではなく以下に列挙する項目およびその等価物をも包含することを意味する。
【００１４】
図１および図２は、この考案の局面を採り入れたスノーボードのビンディング１の例示的な一実施例を示す。このビンディングは、床面２２を有する基部２を含み、この基部２は、基部２の対向する側面上を踵から爪先の方向に延びる側壁３の間において、ビンディング１に位置付けられた装着者の足の少なくとも一部を支持する。装着者の足の後部の周囲に踵のフープ７が延び、ハイバック５が旋回点６において旋回する態様で基部に取付け
られる。１つ以上のストラップまたはストラップアセンブリ４が装着者の足の上に延び、足をビンディング１に固定する。１つのストラップ４（すなわち爪先のストラップ）しか示されていないが、２つ以上のストラップ（爪先、踝および／または脛のストラップ）を設けてよい。これらのストラップは、装着者が足を位置付けてビンディング１に足を固定する、基部２の開口部全体に延びるように可変長さを有し得る。当業者に理解されるように、ビンディングのさまざまな部分を一体的に形成することができ、たとえばシングルピースとして成形するか、または別個に形成して組立てて、ビンディング１を形成することができる。たとえば、踵のフープ７を基部２と別個に形成した後、側壁３において基部に取付けることができ、または、踵のフープ７を基部２および側壁３とともに１つのピースとして成形することができ、または、踵のフープ７を完全に省略するか、もしくはハイバック５に組込むことができる。任意の適切な材料、たとえばプラスチック、複合材料、金属、またはこのような材料の任意の組合せを用いて、ビンディング１の１つ以上の部分を形成することができる。さらに、ビンディング１は、任意の適切な機構、たとえばスノーボード１００内の穴部または差込み物と係合する締結装置を受ける据付ディスクか、または他の取付け機構を用いてスノーボード１００に取付けられてよい。なぜなら、この考案のさまざまな局面にとって、特定の取付け機構が重要ではないためである。ハイバック５の回転の調節（すなわち、スノーボードの上面１０１に対して垂直な軸の周囲の回転）、基部上の位置において調節可能なストラップ、調節可能な爪先の傾斜等を含む、スノーボードのビンディングで見受けられる他の特徴を所望のとおり提供することもできる。
【００１５】
図１〜図３のスノーボードのビンディング１に示されたこの考案の一局面はハイバックであり、このハイバックは、装着者の脚の後部を支持するように構成された装着位置（図１）と、ハイバック５が基部２の床面２２に隣接し、かつ、基部２の底面２１上の踵のフープ７の最上部の高さよりも低い高さにハイバックのすべての部分が位置付けられた折り畳み位置（図２および図３）との間で移動可能であるように構成および配置される。ビンディング１のハイバック５および他の部分は、この考案のこの局面を提供するためのさまざまな方法（他の例示的な実施例と関連付けて以下に論じる）で構成および配置することができるが、この例示的な実施例では、ハイバックが、ビンディング１の底部２１付近の、かつ、踵のフープ７の最後部と相対的に近い地点において、旋回する態様で基部２に結合される。この結合およびハイバック５の形状寸法は、踵のフープ上の比較的高いところに旋回する態様で取付けられた、図１６に示すような従来の多くのハイバックと対照的である。これらのハイバック上の高い旋回地点は、折り畳んだときにハイバックが踵のフープよりも下に位置付けられることを妨げる。図１５に示すような他の従来のハイバックは、ビンディングの中央地点付近において側壁上の相対的に低いところに旋回する態様で取付けられているが、これらのハイバックは、相対的に長いアームか、または、踵のフープ付近をハイバックの後部から旋回点まで側面上に延びる部分を有する。これらの長いアームは、折り畳んだときにハイバックの高さを増長し、それによってハイバックの部分が踵のフープの最上部を越えて延びてしまう。
【００１６】
図３に示したこの考案の別の局面において、ハイバック５に対する旋回点６は、スノーボード１００の上面１０１に接触する基部２の底面２１から距離ｄだけ上方に、かつ、踵のフープ７の最後部から長さｌだけ前方に存在する地点に位置付けられる。この例示的な実施例において、距離ｄは約０．７５インチ以下であり、長さｌは約２．２５インチ以下である。この配置により、たとえば踵のフープ７の最上部が基部２の底面２１から約３インチ以下の高さｈを有し、かつ、基部２の床面が約０．５インチ以下の厚さを有するときに、ハイバック５は折り畳み位置において踵のフープ７の最上部より下に位置付けられることが可能になり得る。この旋回点の配置は、従来のストラップビンディングでは使用されていない。すなわち、従来のストラップビンディングでは、踵を引きずる潜在的な問題（すなわち、装着者のブーツまたはビンディングの一部が踵側での方向転換中に雪面または他の滑走面と接触すること）を回避するために、踵のフープは一般に側壁の後端部にお
いて基部から上方に傾斜を描き、踵のフープの最上部は約３．２５インチ以上の高さに位置付けられてきた。したがって、踵を引きずる問題を生じる潜在性により、先行技術のビンディングでは、踵のフープを一般に下げなかった。踵のフープの上方への傾斜および高い位置により、一般に従来のストラップビンディングの中で、ビンディングの底部から０．７５インチ以下の、かつ、踵のフープの最後部から２．２５インチ以下の地点にハイバックを接続するものは存在しなかった。図３に示す例示的な実施例では、踵のフープ７が旋回点付近の部分に下げられて部分７４に配置され、それによって踵のフープ７は一定の距離だけ底面２１の上方に持ち上げられ、したがって旋回点６の後方において、上方に向けて傾斜を描く。この配置は、この考案の全局面に必要なものではないが、踵を引きずる問題を回避しながら、所望の旋回点の位置を提供することができる。
【００１７】
この考案の別の局面において、ハイバックは、基部の底面から０．７５インチ以下の、かつ、基部の床面の最後部の後方の位置で基部に取付けることができる。図３〜図５から分かるように、例示した実施例の旋回点６は、基部２の床面２２の最後部の後方の位置に位置付けられる。旋回点６に対するこの位置は、適切な低いところでの旋回をもたらしながら、旋回点６または旋回点６付近でハイバック５が装着者のブーツと接触することを回避する助けとなり得る。それにより、ハイバックを折り畳み位置において相対的に低いところに位置付けることができる。
【００１８】
この考案の別の局面において、ビンディング１のすべての部分は、ハイバックが折り畳み位置にあるときに、約３インチ未満、好ましくは２．７５インチ未満、より好ましくは２．５インチ未満の高さｈに位置付けられる。すなわち、この考案のこの局面において、踵のフープ７（存在する場合）の最上部および折り畳んだ位置にあるときのハイバック５の最上部は、基部２の底面２１から３インチ以下の高さｈを有する。この考案のこの局面では、ハイバック５の最上部を踵のフープ７の最上部より上方に位置付けることができ、ハイバック５の最上部は依然として３インチ以下の最大高さか、またはそれよりも低いところに存在する。したがって、この考案のこの局面において、ハイバック５を踵のフープ７よりも下に必ずしも位置付ける必要はない。ビンディング１の最大高さｈが２．５インチ以下である一実施例では、このようなビンディングが取付けられたボードを、ハイバックを有さないステップイン式ビンディングを保管するためだけにこれまで使用していたのと同じ種類の棚で保管することができる。このことは、ステップイン式ビンディングまたはストラップ式ビンディングを有するボードを保管するために同じ棚を用いることのできるスノーボードのレンタル店にとって、有利であり得る。
【００１９】
この考案の別の局面では、ハイバック５が装着者のブーツに接触するハイバック５の部分５２が、先行技術のハイバックに比べ、ハイバック５上の相対的に高いところに設けられる。すなわち、先行技術のハイバックでは、装着者のブーツと接触するハイバックの部分が、一般に踵のフープの最上部付近、すなわちハイバックが踵のフープに接触する地点付近に位置付けられる。ハイバックのこの部分は装着中に多くの応力を受けるため、特に全体がプラスチックであるハイバックの場合、ハイバックの強度を高めるために、この部分は一般により厚く形成されおよび／またはこの部分に輪郭削り（contoured）が施される。しかしながら、このようなハイバックが折り畳まれると、ハイバックのより厚い部分が一般にハイバックの最上部に位置付けられることから、折り畳まれたハイバックの高さを増大させる。この考案の一局面において、装着者のブーツと接触するハイバックの部分５２は、踵のフープの最上部上方の、相対的に高いところに位置付けられる。図３で分かるように、折り畳んだときのハイバック５の最上部は、一般に、装着位置にあるときに踵のフープの付近に位置付けられるハイバック５の部分５３である。しかしながら、ハイバック５は折り畳み位置にあるときに、最上部からビンディングの爪先端部に向けて下方に傾斜を描く。したがって、部分５２は、より厚く形成されるか、または部分５２の強度を高めるように成形もしくは構成されることが可能であるにもかかわらず、部分５２は折り
畳み位置（図３で最もよく分かる）にあるときにハイバックの最上部の前方において下方に傾斜する部分上に位置付けられ、ハイバックの全体高さに全く影響を与えないか、または最小限の影響しか与えない。
【００２０】
この考案の別の局面において、ビンディングの側壁の部分は、ハイバックが折り畳み位置にあるときにハイバックの少なくとも一部を受けるための凹部を含み得る。図４および図５で分かるように、例示的な一実施例では、側壁３に凹部８を形成して、ハイバック５が折り畳まれたときにハイバック５の少なくとも一部を受けることができる。この例示的な実施例において、凹部８は旋回点６付近の両方の壁面３に形成されるが、凹部８を任意の適切な位置および／または両方の側面３ではなく一方の側壁３のみに形成することもできる。代替的に、または加えて、基部２の床面の部分に凹部を形成して折り畳み位置にあるハイバックの一部を受け、ハイバック５の高さをさらに減じることができる。
【００２１】
上で述べたように、ハイバックを任意の適切な方法で基部に結合して、この考案のさまざまな局面を達成することができる。たとえば、図１〜図３におけるように、ハイバックに対する旋回点を下方および後方に移動させることは、ハイバックおよび踵のフープの接触領域と旋回点６との垂直方向の距離を長くして水平方向の距離を短くすることにより、ハイバックと踵のフープとの間の接触領域および接触領域付近で、ならびに旋回地点６において、ハイバックの応力を増大させることが考えられる。ビンディングの中央部付近の地点で壁面に旋回する態様で接続された相対的に長いアームをハイバックが有する先行技術のビンディング（図１５等）では、装着者が踵側で方向転換をする間にハイバックに或るモーメントを適用すると、旋回地点の接続部において応力を減じる。したがって、旋回点に延びるハイバック上のアームを相対的に薄くすることができ、このアームはビンディング内の装着者の足を妨害しない。ハイバックおよび踵のフープの接触領域と旋回点との間の水平距離がより短い他のビンディングでは、一般に、ハイバックが踵のフープ上の相対的に高いところに取付けられている（図１６等）。この配置は潜在的に２つの利点を提供した。第１に、旋回点が装着者の踝により近いため、このハイバックは、他の配置よりも自然な旋回点（装着者の踝）の周囲を回転する傾向があった。第２に、旋回点を高く配置することにより、ハイバックは旋回点において一層薄く頑丈になり得る。なぜなら、装着者の足およびブーツが、一般に底部よりも装着者の踝において狭くなっているためである。
【００２２】
それとは対照的に、この考案の局面に従ったビンディングでは、ハイバックに対する旋回点が、相対的に低いところで踵のフープに取付けられ、かつ、後部に位置付けられる。いくつかの実施例では、装着中にさらに別の構造がハイバックを支持する助けとなり得る。たとえば図６は、１つの例示的な実施例を示す。この実施例において、ハイバック５は図１と同様の旋回点６に取付けられているが、リンク９が追加され、ハイバックの後部上のその位置により、折り畳み位置にあるときのハイバックを支持する助けとなる。この考案の一局面において、傾き調節装置は、スノーボードの上面に対して平行な方向に移動してハイバックの傾き角度を調節する部分を有し得る。たとえば図８に示すように、傾き調節装置１０は、ねじを切った部分、および踵のフープ７とねじを切る態様で係合し得るノブを含み得、水平方向に移動してハイバック５の角度を旋回点６に対して調節することができる。この配置は、ハイバックが折り畳み位置にあるときにビンディング１の高さを増大させ得ず、適切な低いプロファイルを提供して一般的な踵側での方向転換中に装着面との接触を回避し、たとえば踵を引きずる望ましくない特性を防止する。図９で分かるように、傾き調節装置は押し要素１１を含み得、この押し要素１１は、踵のフープ７の内側表面と、ねじを切った部分およびノブ１２によって動かされるハイバック５との間に位置付けられる。
【００２３】
傾き調節装置を他の方法で配置できることが理解されるであろう。たとえば図１０は、
ハイバック５の傾き角度を調節するためのターンバックル型要素を含む傾き調節装置１０を示す。図１１で分かるように、ねじを切る態様でロッド１４と係合する円筒部１３を回転させることにより、傾き調節装置１０の長さを調節することができる。傾き調節装置１０は、対向する端部において旋回する態様で踵のフープ７およびハイバック５に結合され得、ハイバック５を折り畳み位置に移動させることのできる、摺動可能な態様で係合される部分を含み得る。ハイバック５は、折り畳み位置において傾き調節装置１０の少なくとも一部を受けるための開口部または凹部５１を含み得る。同様に、踵のフープ７は、折り畳み位置にあるときに傾き調節装置１０の少なくとも一部を受けるための凹部または溝７５を含み得、それによって踵のフープ７の最上部は、傾き調節装置１０のどのような部分よりも高いところに位置付けられる。
【００２４】
この考案の別の局面では、ハイバックを２つのリンクによってビンディングの基部に結合することができ、それによってハイバックが装着位置と折り畳み位置との間で移動できるようにする。ハイバックと基部とを結合する４棒リンク機構を形成するように２つのリンクを位置付けることができる。たとえば図１２は、ハイバック５が第１のリンク９および第２のリンク７１によって基部２に結合された例示的な一実施例の概略図を示す。図１２は、装着位置にあるハイバック５を示す。傾き調節装置１０を動かして第２のリンク７１上のタブ７２とハイバック５との間の距離を変化させることにより、ハイバック５の傾きの調節を行なうことができる。この実施例において、傾き調節装置は、ねじを切った部分と、回転させると水平方向に移動可能なノブとを含むが、傾き調節装置１０は、任意の適切な方法で構成されてよい。ハイバック５を折り畳み位置に移動させるために、ねじを切る態様でロッド１４と係合した部分が、傾き調節装置１０の長さを調節することができる。傾き調節装置１０は、対向する端部において旋回する態様で踵のフープ７およびハイバック５に結合され得、ハイバック５を折り畳み位置に移動させることのできる、摺動可能な態様で係合される部分を含み得る。ハイバック５は、折り畳み位置において傾き調節装置１０の少なくとも一部を受けるための開口部または凹部５１を含み得る。同様に、踵のフープ７は、折り畳み位置にあるときに傾き調節装置１０の少なくとも一部を受けるための凹部または溝７５を含み得、それによって踵のフープ７の最上部は、傾き調節装置１０のどのような部分よりも高いところに位置付けられる。
【００２５】
この考案の別の局面では、ハイバックを２つのリンクによってビンディングの基部に結合することができ、それによってハイバックが装着位置と折り畳み位置との間で移動できるようにする。ハイバックと基部とを結合する４棒リンク機構を形成するように２つのリンクを位置付けることができる。たとえば図１２は、ハイバック５が第１のリンク９および第２のリンク７１によって基部２に結合された例示的な一実施例の概略図を示す。図１２は、装着位置にあるハイバック５を示す。傾き調節装置１０を動かして第２のリンク７１上のタブ７２とハイバック５との間の距離を変化させることにより、ハイバック５の傾きの調節を行なうことができる。この実施例において、傾き調節装置は、ねじを切った部分と、回転させると水平方向に移動可能なノブとを含むが、傾き調節装置１０は任意の適切な態様で構成されてよい。ハイバック５を折り畳み位置に移動させるために、図１３に示されるように、ハイバック５を反時計回りに回転させている間に、第２のリンク７１を時計回りに回転させることができる。第２のリンクおよびハイバック５を連続して回転させることにより、ハイバックは基部２とほぼ平行に、折り畳み位置に位置付けられる。当業者によって認識されるように、リンク９および７１、ならびにハイバック５および基部２の一部は、４棒リンク機構のリンクとして機能する。
【００２６】
図１２〜図１４はビンディングの概略側面図を示すが、第１および第２のリンク９および７１をビンディングの両側面に設け得ることを理解されるべきである。代替的に、踵のフープとしてビンディング１の後部全体に広がるシングルピースとして、第２のリンク７１を設けることができる。
【００２７】
種々の例示的な実施例を参照してこの考案を説明してきたが、この考案は説明した実施例に限定されない。説明した実施例の多くの代替例、変更例、および変形例が当業者に明らかであることが明白である。たとえば、上述の例示的な実施例は踵のフープを含む。しかしながら、ビンディングは踵のフープを含んでいる必要は全くなく、たとえば側壁または側壁の後方伸長部にハイバックを取付けることができる。加えて、踵のフープを基部に摺動可能な態様で取付けることができ、それによってより大きなまたはより小さなブーツのサイズを収容するようにビンディングのサイズを調節することができる。また、ビンディングのサイズを変更する際に、基部の床面の一部は、踵のフープによって拡張または後退し得る。別の実施例では、踵のフープを旋回する態様で基部に取付けて、保管または他の目的で踵のフープを低い高さで回転させることができる。したがって、この明細書に明示されたこの考案の実施例は、限定ではなく例示するように意図されている。この考案の範囲から逸脱することなく、さまざまな変更を行なうことができる。
【図面の簡単な説明】
【００２８】
【図１】この考案の一局面において、ハイバックが旋回する態様で踵のフープに取付けられたスノーボードのビンディングの斜視図である。
【図２】折り畳み位置にあるハイバックを有する図１の実施例の斜視図である。
【図３】図１の実施例の側面図である。
【図４】図２の線４−４に沿った断面図である。
【図５】図１の実施例の上面図である。
【図６】基部とハイバックとの間で相互接続されたリンクを有する別の例示的な実施例の側面図である。
【図７】折り畳み位置にあるハイバックを有する図６の実施例の上面図である。
【図８】この考案に従った前方への傾き調節装置の例示的な一実施例の側面図である。
【図９】図８の実施例の斜視図である。
【図１０】前方への傾き調節装置を有するスノーボードのビンディングの別の例示的な実施例の側面図である。
【図１１】図１０の実施例の上面図である。
【図１２】ハイバックが前部リンクおよび後部リンクによって基部に結合された例示的な一実施例の側面図である。
【図１３】ハイバックが前部リンクおよび後部リンクによって基部に結合された例示的な一実施例の側面図である。
【図１４】ハイバックが前部リンクおよび後部リンクによって基部に結合された例示的な一実施例の側面図である。
【図１５】先行技術のストラップビンディングの第１の実施例の図である。
【図１６】先行技術のストラップビンディングの第２の実施例の図である。
【図１７】折り畳み位置にあるハイバックを有する図１５のビンディングの図である。
【図１８】折り畳み位置にあるハイバックを有する図１６のビンディングの図である。
【符号の説明】
【００２９】
１  スノーボードのビンディング、２  基部、３  側壁、４  ストラップ、５  ハイバック、６  旋回地点、７  踵のフープ。
【図１】
0003108353.tif 000003
【図２】
0003108353.tif 000004
【図３】
0003108353.tif 000005
【図４】
0003108353.tif 000006
【図５】
0003108353.tif 000007
【図６】
0003108353.tif 000008
【図７】
0003108353.tif 000009
【図８】
0003108353.tif 000010
【図９】
0003108353.tif 000011
【図１０】
0003108353.tif 000012
【図１１】
0003108353.tif 000013
【図１２】
0003108353.tif 000014
【図１３】
0003108353.tif 000015
【図１４】
0003108353.tif 000016
【図１５】
0003108353.tif 000017
【図１６】
0003108353.tif 000018
【図１７】
0003108353.tif 000019
【図１８】
0003108353.tif 000020